(57)【要約】多機能クレジット・カードおよびクレジット・カード・ケースを提供する。クレジット・カードはカード情報を含む。マイクロプロセッサおよび／または他の支払いまたは不払い装置がこのケースおよび／またはカードに設けられており、多様な通信方法で他の機能に使用することができる。好ましい形態では、マイクロプロセッサは、電子、および誘導型磁気トラック・ゼネレータ、ブルートゥース無線ポート、ＩＲＤＡ  ＆  ＩＲ赤外線ポート、ならびにＲＦＩＤ／ＩＳＯ−１４４４３シミュレータなど他の手段によって外部機構またはシステムと通信することができる。ＬＣＤまたは他のディスプレイが、ボタン・パネルおよび／またはキーボードと共に多様な実施形態またはマイクロプロセッサへのデータおよび情報の入力部に設けられている。マイクロプロセッサは、ユーザにいくつかの非金融アプリケーションへのアクセス権を提供するために使用することもできる。
2006501575.tif 000002
【特許請求の範囲】
【請求項１】
クレジット・カードを収容するための格納空間と、
プロセッサと、
ディスプレイと、
データ入力装置と、
少なくとも１つのデータ通信装置とを備える、クレジット・カード・ケース。
【請求項２】
前記格納空間内の旋回ピンをさらに備え、前記クレジット・カードを前記旋回ピンの周りで旋回させることによって格納空間内の前記クレジット・カードが露出される、請求項１に記載のクレジット・カード・ケース。
【請求項３】
前記プロセッサが、読取り専用メモリと統合されたマイクロプロセッサである、請求項１に記載のクレジット・カード・ケース。
【請求項４】
前記ディスプレイが、液晶ディスプレイである、請求項１に記載のクレジット・カード・ケース。
【請求項５】
前記データ入力装置が、ナビゲーション・ボタンである、請求項１に記載のクレジット・カード・ケース。
【請求項６】
前記データ入力装置が、キー・パッドである、請求項１に記載のクレジット・カード・ケース。
【請求項７】
前記データ通信装置が、赤外線送信機である、請求項１に記載のクレジット・カード・ケース。
【請求項８】
前記データ通信装置が、誘導型磁気トラック・ゼネレータである、請求項１に記載のクレジット・カード・ケース。
【請求項９】
前記データ通信装置が、赤外線送受信機である、請求項１に記載のクレジット・カード・ケース。
【請求項１０】
前記データ通信装置が、無線送受信機である、請求項１に記載のクレジット・カード・ケース。
【請求項１１】
前記データ通信装置が、ＲＦＩＤシミュレータである、請求項１に記載のクレジット・カード・ケース。
【請求項１２】
クレジット・カードを収容するための格納空間と、
プロセッサと、
データ入力装置と、
前記データ入力装置を使用して入力された情報に応答してバー・コードを表示するディスプレイとを備える、クレジット・カード・ケース。
【請求項１３】
前記ディスプレイが、前記データ入力装置に入力された選択に応答して複数のバー・コードを表示することができる、請求項１２に記載のクレジット・カード・ケース。
【請求項１４】
前記データ入力装置が、ナビゲーション・ボタンである、請求項１２に記載のクレジット・カード・ケース。
【請求項１５】
前記データ入力装置が、キー・パッドである、請求項１２に記載のクレジット・カード・ケース。
【請求項１６】
前記格納空間内の旋回ピンをさらに備え、前記クレジット・カードを前記旋回ピンの周りで旋回させることによって格納空間内の前記クレジット・カードが露出される、請求項１２に記載のクレジット・カード・ケース。
【請求項１７】
クレジット・カードを収容するための格納空間、プロセッサ、ディスプレイ、データ入力装置、および少なくとも１つのデータ通信装置を有するクレジット・カード・ケースを使用してトランザクションを完了するのに必要な情報を提供する方法であって、
トランザクション情報を前記プロセッサに関連したメモリに記憶すること、
前記データ入力装置を使用して前記トランザクション情報を選択すること、および
前記データ通信装置を使用して前記トランザクション情報をマーチャント装置に伝送することを含む方法。
【請求項１８】
前記トランザクション情報がマーチャント・ロイヤルティ情報である、請求項１７に記載の方法。
【請求項１９】
前記トランザクション情報が識別情報である、請求項１７に記載の方法。
【請求項２０】
前記データ入力装置が、ナビゲーション・ボタンである、請求項１７に記載の方法。
【請求項２１】
前記データ入力装置が、キー・パッドである、請求項１７に記載の方法。
【請求項２２】
前記データ入力装置を使用して個人識別番号を入れて、前記トランザクション情報にアクセスできるようにすることをさらに含む、請求項１７に記載の方法。
【請求項２３】
クレジット・カードを収容するための格納空間、プロセッサ、データ入力装置、および前記データ入力装置を使用して入力された情報に応答してバー・コードを表示するディスプレイを有するクレジット・カード・ケースを使用してトランザクションを完了するのに必要な情報を提供する方法であって、
トランザクション情報を前記プロセッサに関連したメモリに記憶すること、
前記データ入力装置を使用して前記トランザクション情報を選択すること、
前記トランザクション情報を示すバー・コードを前記ディスプレイ上に表示すること、および
バー・コード読取機構を使用して前記バー・コードを読み取ることを含む方法。
【請求項２４】
前記バー・コード読取機構が前記マーチャント情報システムに接続され、前記トランザクション情報が前記マーチャント情報システムを使用して確認される、請求項２３に記載の方法。
【請求項２５】
前記トランザクション情報が、マーチャント・ロイヤルティ情報である、請求項２３に記載の方法。
【請求項２６】
前記トランザクション情報が、識別情報である、請求項２３に記載の方法。
【請求項２７】
前記データ入力装置が、ナビゲーション・ボタンである、請求項２３に記載の方法。
【請求項２８】
前記データ入力装置が、キー・パッドである、請求項２３に記載の方法。
【請求項２９】
前記データ入力装置を使用して個人識別番号を入力し、前記トランザクション情報にアクセスできるようにすることをさらに含む、請求項２３に記載の方法。
【発明の詳細な説明】
【技術分野】
【０００１】
本出願は、参照によりその内容を本明細書に組み込む、２００３年１０月２日に米国特許商標庁に出願の米国特許出願第６０／４１５，５８７号に基づくものである。
【０００２】
本発明は、複数の機能を果たすことができるクレジット・カードおよびクレジット・カード・ケースに関する。
【背景技術】
【０００３】
従来のクレジット・カードおよび特別な価値のあるカードの提供者は、ユーザによってその特定のカードが札入れまたは財布の外の使用しやすい場所、たとえばキー・ループまたはキー・チェーン上で持ち運ばれて、カードが使用される可能性が高くなることを望んでいる。カードを札入れまたは財布の外に有して使用しやすくする利点は、ユーザが財布または札入れを開ける必要なく指先でカードをすぐ利用することができ、いくつかの可能な選択の中から特定のカードまたは支払手段を使用する選択を行うことができるようになることである。
【０００４】
カードがキー・チェーン上で持ち運ばれる場合、クレジット・カードをカード自体またはカード番号の盗難から保護するため、カードを隠すためのケースまたはキーホルダが開発されてきた。カードを使用する人は、通常、キー・チェーンから外さずにケースまたは容器を開けて、カードを使用しやすい位置に旋回し、支払情報を支払機構に転送するためにカードを使用できるようにする。カードを使用するため、ケースまたは容器をキー・チェーンから外さなければならない場合もある。
【０００５】
最初に、支払請求書にカードをインプリントすることによって、クレジット・カードからの支払い情報の転送が行われる。ダイまたはローラがカードおよび請求書上を摺動したときに、支払い情報を含むカード上の隆起した数字が請求書上にインプリントされる。最近では、たとえば磁気ストライプ読取機構を通してカードを引いて読み取ることができる情報を含む磁気ストライプによって、カード識別情報を電子支払機構に電子的に転送することができる。別のタイプのカード識別情報の転送は、カードから支払機構に伝送される無線信号によって関連する電子支払機構と通信する、カード上またはケースのカバー内にあるマイクロプロセッサ・チップを使用するものである。接触チップは、支払いデータを電子支払装置に転送することもできる。情報は、バーコード・スキャナまたはバーコード読取機構を使用してバー・コードによって転送することもできる。電子または他の手段で情報を転送する高度の技術がさらに速いペースで開発されている。電子工学および他の分野における技術の進歩により、クレジット・カードの識別または情報手段とマイクロプロセッサ、コンピュータ、および他の製品の能力を組合わせて、複数の機能を果たすことができるクレジット・カードおよびクレジット・カード・ケースを提供することが望ましい。
【発明の開示】
【発明が解決しようとする課題】
【０００６】
本発明は、多機能クレジット・カードおよびクレジット・カード・ケースを提供する。
【課題を解決するための手段】
【０００７】
本発明は、一実施形態では、クレジット・カードまたは他の商業証券（ｆｉｎａｎｃｉａｌ  ｉｎｓｔｒｕｍｅｎｔ）、およびカードまたは他の商業証券を収納するケースを含む。カード情報は、支払機構に転送するために提供される。カード情報は、カードの物理的インプリントを行わずに電子または他の支払機構によって読み取ることができることが好ましい。カードまたはケース内のマイクロプロセッサを支払いと不払い装置の両方に使用することができる。
【０００８】
本発明は、他の実施形態では、クレジット・カード、ならびに、データ入力手段および外部システムと通信する手段と共にマイクロプロセッサを収納するクレジット・カード・ケースを含む。データ入力手段は、ボタン・パッド、数字および／または文字キーボード、またはタッチ・スクリーンを備えることができる。通信手段には、誘導型磁気トラック・ゼネレータ（ｉｎｄｕｃｔｉｖｅ  ｍａｇｎｅｔｉｃ  ｔｒａｃｋ  ｇｅｎｅｒａｔｏｒ）、ブルートゥース無線ポート（ｂｌｕｅｔｏｏｔｈ  ｗｉｒｅｌｅｓｓ  ｐｏｒｔ）、ＩＲＤＡ  ＆  ＩＲ赤外線ポート、ならびにＲＦＩＤ（無線周波数識別）／ＩＳＯ−１４４４３シミュレータ、および他の通信装置が含まれる。
【０００９】
図面は、原寸に比例していない。
【発明を実施するための最良の形態】
【００１０】
本発明は、多機能クレジット・カードおよびクレジット・カード・ケースを提供する。
【００１１】
図１Ａは、上側カバー部分１２および下側カバー部分１４を有するクレジット・カード・ケース１０を示す。クレジット・カード１６は、ケース１０内で旋回部材上に旋回式に取付けられる。カード１６は、ケースの外周を部分的に越えて延在して、人がカードを親指と人差し指でつかんで旋回し（ｐｉｖｏｔ）、図１のケースの上方位置に露出することができるようになされている。旋回部材（ｐｉｖｏｔ  ｍｅｍｂｅｒ）は、当技術分野で周知のリベットまたはポストでもよい。好ましくは、カードは旋回部材から取外し可能であり、ケースから完全に取外すことができる。これは、カード内にきざみ付き開口部を設け、前記開口部が旋回部材に旋回式に連結するための開放端を有することによって実施することができる。こうした開口部および旋回式連結部を有するカードの説明は、参照により明細書全体を本明細書に組み込む、２００２年７月１７日に出願のＰＣＴ／米国特許出願ＰＣＴ／ＵＳ０２／２２，９３３号、「Ｃｒｅｄｉｔ  Ｃａｒｄ  Ｗｉｔｈ  Ｃａｓｅ」に記載されている。開口２０、２１が、上側カバー部分１２および下側カバー部分１４内に設けられて、キー・チェーン・ループが通過できるようになされている。
【００１２】
本発明によれば、不払い装置が、図１Ａで示したクレジット・カード・ケース内に設けられ、オン・オフ・ボタン２４によって起動されるＬＣＤまたは他のディスプレイ・パネル２２が備えられる。ゲーム式ナビゲーション・ボタン２６は、たとえば図１Ｂおよび１Ｃで示したように、パネル２２内に一連のバー・コードまたは他の表示を起動するために設けられる。バー・コード表示は、必ずしもクレジット・カードに含まれた情報と関連する必要はないが、１つまたは複数のマーチャント・ロイヤルティ・プログラム（ｍｅｒｃｈａｎｔ  ｌｏｙａｌｔｙ  ｐｒｏｇｒａｍｓ）と関連するものでもよい。したがって、本発明のケースは、バー・コード・スキャナまたは読取機構で読み取ることができる単一装置上の１つまたは複数のバー・コードを有する装置を提供するものである。表示は、図１Ｃのように個人識別番号の入力または表示のための１つまたは複数の表示を含むこともできる。数字および／または文字を入力し、または表示を変更するための数字および／またはアルファベットのキー・パッドも適宜に、または必要に応じてケース上またはその中に設けることができる。
【００１３】
図２を参照すると、縁部２８に沿って旋回式に接合された上側カバー１２および下側カバー１４を備えたクラム・シェル形のケースが示されている。ＬＣＤパネル２２は、カバー１２の内側に設けられて、図２で示したように、バー・コードおよび／または個人識別番号の入力の要求など他の情報を表示する。数字のキーパッド３０は、入力の完了時に押すべき「入力」ボタン３２と共にカバー１４の内側に設けられる。図３は、カバー１２の内側にあるＬＣＤパネル２２、および入力ボタン３２と共にカバー１４の内側にある数字のキーパッド３０、および文字またはアルファベットのキー・パッド３１を有するクラム・シェル形ケースを示す。
【００１４】
図４は、本発明のクレジット・カードおよび／またはクレジット・カード・ケースと多様な外部システムの間の通信のための多様なアーキテクチャを示す。通常、クレジット・カードおよび／またはケースは、マイクロプロセッサ３４、およびＬＣＤまたは他のディスプレイ２２を備える。情報の入力は、ボタン・パネル３６上のボタン、クレジット・カード・ケース３９上のキーボード３８および／またはタッチ・スクリーン４０で行うことができる。マイクロプロセッサは、様々な外部の電子、ならびに誘導型磁気トラック・ゼネレータ４２、ブルートゥース無線ポート４４、ＩＲＤＡ  ＆  ＩＲ赤外線ポート４６、およびＲＦＩＤ（無線周波数識別）／ＩＳＯ−１４４４３シミュレータ４８など他の機構と通信することができる。マイクロプロセッサは、通常、読取り専用メモリ（ＲＯＭ）プログラムおよびオペレーティング・システム５０、ランダム・アクセス・メモリ（ＲＡＭ）データ・セット５２、ならびに好ましくは１２８ＭＢよりも大きいフラッシュＲＡＭ５４を備える。マイクロプロセッサは、入出力用シリアル・ユニバーサル・サービス・バス（ＵＳＢ）ポートによって外部コンピュータまたはコンピュータ・システム５６と通信することもできる。
【００１５】
本発明のクレジット・カードおよびケースが提供される不払い装置の例には、デジタル時計、ストップウォッチ、および／または（好ましくは、複数の時間帯性能を有する）旅行用目覚まし時計、ＵＳＢフラッシュ・メモリ装置、ならびにコンピュータ・インターフェース、およびＬＣＤバー・コード生成器が含まれる。クレジット・カードおよびクレジット・カード・ケースが提供される追加の不払い装置には、ミニ・パーソナル・データ・アシスタント、計算機、電子ゲーム、短距離遠隔車両または車庫のドア制御、懐中電灯、マイクロ・テキスト双方向ページャ、ＭＰ３プレーヤ、パーソナル・データ・ボールト、パーソナル・パニック・アラーム装置、および他の不払い装置が含まれる。ケースは、ケースを位置決定装置として使用するための、ＧＰＳ（地球投影位置決定衛星）受信器または送信器機能を備えることもできる。
【００１６】
本発明の好ましい実施形態を特定してきたが、他の構成および修正形態も本発明の範囲内で提供することができる。たとえば、いくつかの機能をカードおよび／またはケースに提供することができると考えられる。外部機構と通信する他の高度な手段も開発されたものとして含むことができると考えられる。
【図面の簡単な説明】
【００１７】
【図１Ａ】本発明のクレジット・カードおよびクレジット・カード・ケースの第１の実施形態を示す平面図である。
【図１Ｂ】図１Ａのケース上の追加のＬＣＤディスプレイの例を示す図である。
【図１Ｃ】図１Ａのケース上の追加のＬＣＤディスプレイの例を示す図である。
【図２】カバーが開位置にある、クラム・シェル形クレジット・カード・ケースを示す本発明の第２の実施形態を示す平面図である。
【図３】カバーが開位置にある、クラム・シェル形クレジット・カード・ケースを示す本発明の第３の実施形態を示す平面図である。
【図４】本発明のクレジット・カードおよび／またはクレジット・カード・ケースとバックエンド・システムの間の通信およびデータ累積構造を示す概略図である。
【図１Ａ】
2006501575.tif 000003
【図１Ｂ】
2006501575.tif 000004
【図１Ｃ】
2006501575.tif 000005
【図２】
2006501575.tif 000006
【図３】
2006501575.tif 000007
【図４】
2006501575.tif 000008
【手続補正書】
【提出日】平成17年7月28日(2005.7.28)
【手続補正１】
【補正対象書類名】図面
【補正対象項目名】全図
【補正方法】変更
【補正の内容】
【図１Ａ】
2006501575.tif 000009
【図１Ｂ】
2006501575.tif 000010
【図１Ｃ】
2006501575.tif 000011
【図２】
2006501575.tif 000012
【図３】
2006501575.tif 000013
【図４】
2006501575.tif 000014
【国際調査報告】
2006501575.tif 000015
2006501575.tif 000016
2006501575.tif 000017
2006501575.tif 000018